(57)【要約】【課題】グリル本体が透明な材料で形成されていても、車両の前側からグリル本体の後側が透けて見えてしまうことを防止又は抑制できる。【解決手段】本フロントグリルでは、透明なグリル本体１２に設けられた複数の桟部１６の裏側部分には、隣の桟部１６側から入射した光を車両前側へ反射させる桟部反射面２０が設けられている。このため、車両の前側から桟部１６の桟部反射面２０を見ると、これの隣の桟部１６の像が映し出される。したがって、車両の前側からグリル本体１２の後側が透けて見えてしまうことを抑制できる。【選択図】図３
2008195236.tif 000002
【特許請求の範囲】
【請求項１】
透明な材料で形成され、同一方向に並ぶ複数の桟部を有し、車体前部に取り付けられるグリル本体と、
前記複数の桟部のうち少なくとも１つの裏側部分に設けられ、隣の桟部側から入射した光を車両前側へ反射させる桟部反射面と、
を有するフロントグリル。
【請求項２】
前記桟部反射面は、両隣の桟部のうちの一方の側から入射した光を車両前側へ反射させる一側反射面と、両隣の桟部のうちの他方の側から入射した光を車両前側へ反射させる他側反射面とを有することを特徴とする請求項１に記載のフロントグリル。
【請求項３】
前記グリル本体は、枠状に形成されると共に内周内側に前記複数の桟部が配置される外枠を有し、前記外枠の裏側部分の少なくとも一部には、前記外枠の内周内側から入射した光を車両前側へ反射させる外枠反射面が設けられることを特徴とする請求項１又は請求項２に記載のフロントグリル。
【発明の詳細な説明】
【技術分野】
【０００１】
本発明は、車両用のフロントグリルに関する。
【背景技術】
【０００２】
従来、透明な樹脂材料によって形成されたフロントグリルが知られている（例えば、特許文献１参照）。
【特許文献１】特開昭６３−２５１３４９号公報
【発明の開示】
【発明が解決しようとする課題】
【０００３】
しかしながら、フロントグリルが透明な場合、フロントグリルの後側に配置された車両内部部品（熱交換器等）が車両の前側から透けて見えてしまい見栄えが悪い。
【０００４】
本発明は上記事実を考慮し、グリル本体が透明な材料で形成されていても、車両の前側からグリル本体の後側が透けて見えてしまうことを防止又は抑制できるフロントグリルを得ることが目的である。
【課題を解決するための手段】
【０００５】
請求項１に記載の発明に係るフロントグリルは、透明な材料で形成され、同一方向に並ぶ複数の桟部を有し、車体前部に取り付けられるグリル本体と、前記複数の桟部のうち少なくとも１つの裏側部分に設けられ、隣の桟部側から入射した光を車両前側へ反射させる桟部反射面と、を有することを特徴としている。
【０００６】
なお、請求項１に記載の「透明」は、光透過率が１００％に近いものだけでなく、車両前側から桟部反射面を透視できる程度のものであればよい。また、請求項１に記載の複数の桟部が並ぶ方向は、縦、横、斜めの何れの方向であってもよい。また、請求項１に記載のグリル本体では、縦・横に並ぶ複数の桟部が複合（交差）されて格子状に形成されていてもよい。さらに、請求項１に記載のグリル本体では、傾斜方向が同じで同一方向に並ぶ複数の桟部と、これらの桟部とは異なる方向に傾斜して同一方向に並ぶ複数の桟部とが複合（交差）されて格子状（メッシュ状）に形成されていてもよい。
【０００７】
請求項１に記載のフロントグリルでは、透明なグリル本体の複数の桟部のうち少なくとも１つの裏側部分には、隣の桟部側から入射した光を車両前側へ反射させる桟部反射面が設けられている。このため、車両の前側から前記少なくとも１つの桟部を見ると、これの隣の桟部の像が映し出される。したがって、車両の前側からグリル本体の後側が透けて見えてしまうことを防止又は抑制できる。
【０００８】
請求項２に記載の発明に係るフロントグリルは、請求項１に記載のフロントグリルにおいて、前記桟部反射面は、両隣の桟部のうちの一方の側から入射した光を車両前側へ反射させる一側反射面と、両隣の桟部のうちの他方の側から入射した光を車両前側へ反射させる他側反射面とを有することを特徴としている。
【０００９】
請求項２に記載のフロントグリルでは、透明なグリル本体の複数の桟部のうち少なくとも１つの裏側部分には、桟部反射面を構成する一側反射面及び他側反射面が設けられている。一側反射面は、両隣の桟部のうちの一方の側から入射した光を車両前側へ反射させる。また、他側反射面は、両隣の桟部のうちの他方の側から入射した光を車両前側へ反射させる。このため、車両の前側から前記少なくとも１つの桟部を見ると、これの両隣の桟部の像が映し出される。したがって、斬新な見栄えにすることができる。
【００１０】
請求項３に記載の発明に係るフロントグリルは、請求項１又は請求項２に記載のフロントグリルにおいて、前記グリル本体は、枠状に形成されると共に内周内側に前記複数の桟部が配置される外枠を有し、前記外枠の裏側部分の少なくとも一部には、前記外枠の内周内側から入射した光を車両前側へ反射させる外枠反射面が設けられることを特徴としている。
【００１１】
請求項３に記載のフロントグリルでは、透明なグリル本体における外枠の裏側部分の少なくとも一部には、外枠の内周内側から入射した光を車両前側へ反射させる外枠反射面が設けられている。このため、車両の前側から前記少なくとも一部を見ると、外枠の内周内側の像（桟部又は外枠の内周部の像）が映し出される。したがって、車両の前側から外枠の後側が透けて見えてしまうことを防止又は抑制できる。
【発明の効果】
【００１２】
以上説明したように、請求項１に係る発明のフロントグリルでは、グリル本体が透明な材料で形成されていても、車両の前側からグリル本体の後側が透けて見えてしまうことを防止又は抑制できる。
【００１３】
請求項２に係る発明のフロントグリルでは、斬新な見栄えにすることができる。
【００１４】
請求項３に係る発明のフロントグリルでは、車両の前側から外枠の後側が透けて見えてしまうことを防止又は抑制できる。
【発明を実施するための最良の形態】
【００１５】
図１には、本発明の実施形態に係るフロントグリル１０の部分的な構成が正面図にて示されている。また、図２には、図１の２−２線断面図が示されている。なお、図１では、フロントグリル１０の車体右側の半分だけを図示しているが、このフロントグリル１０は左右対称に形成されている。また、図中矢印ＦＲは車両前方向を示し、矢印ＵＰは車両上方向を示し、矢印ＩＮは車幅内側方向を示している。
【００１６】
本発明の実施形態に係るフロントグリル１０は、透明な樹脂材料（例えば、ポリカーボネート）によって形成され、図示しない自動車車体の前部に取り付けられたグリル本体１２を有している。グリル本体１２は、車幅方向に長い枠状に形成された外枠１４と、この外枠１４の内周の内側に配置された複数の桟部１６とを有している。
【００１７】
外枠１４は、車両上方側から見て円弧状に湾曲しており、車幅方向中央部が車幅方向両端部よりも僅かに車両前側に突出している。また、複数の桟部１６は、それぞれ直線的な棒状に形成され、長手方向が車両上下方向に対して僅かに傾斜した状態で外枠１４の長手方向に沿って規則的に並んで配置されており、上下両端部が外枠１４の内周部に一体的に接続されている。これら複数の桟部１６の間には、図示しないエンジンコンパートメント内へ外気を導入するための大気導入孔１７が形成されている。
【００１８】
図２に示されるように、桟部１６の表側（前端側）は、断面略三角形状に尖って形成されている。また、桟部１６の裏側部分（後端部）には、断面略正三角形状の溝１８が形成されている。この溝１８は、桟部１６の長手方向に沿って延在しており、断面Ｖ字形状に形成された内面が桟部反射面２０とされている。この桟部反射面２０における車幅方向一側の面は、車幅方向一側（両隣の桟部１６のうちの一方の側）から入射した光を車両前側へ反射させる一側反射面２０Ａとされている（図３の矢印Ｌ参照）。このため、車両前側から桟部１６の一側反射面２０Ａを見ると、両隣の桟部１６のうちの一方（車幅方向一側に隣り合う桟部１６）の像が映し出されるようになっている。
【００１９】
また、桟部反射面２０における車幅方向他側の面は、車幅方向他側（両隣の桟部１６のうちの他方の側）から入射した光を車両前側へ反射させる他側反射面２０Ｂとされている（図３の矢印Ｒ参照）。このため、車両前側から桟部１６の一側反射面２０Ａを見ると、両隣の桟部のうちの他方（車幅方向他側に隣り合う桟部１６）の像が映し出されるようになっている。
【００２０】
なお、複数の桟部１６のうち車幅方向最外側に配置されたものは、隣に外枠１４が配置されているため、一側反射面２０Ａ又は他側反射面２０Ｂには、外枠１４の内周部の像が映し出される。
【００２１】
また、前述したように、外枠１４は、車両上方側から見て円弧状に湾曲している。このため、外枠１４の長手方向（湾曲方向）に並ぶ複数の桟部１６は、車両前後方向に多少オフセットして配置されている。このため、一側反射面２０Ａ及び他側反射面２０Ｂの車体前後方向に対する傾斜角度は、隣の桟部１６側からの光を車体前側へ反射させられるように、各桟部１６によって僅かに異なって設定されている。
【００２２】
一方、図４に示されるように、外枠１４の裏側部分（後端部）には、断面略直角三角形状の溝２２が形成されている。この溝２２は、外枠１４の全周にわたって形成されている。溝２２の断面略Ｖ字形（略レ字形）の内面のうち外枠１４の内周側に配置された面は、外枠１４の内周内側から入射した光を車両前側へ反射させる外枠反射面２４とされている（図４の矢印Ｉ参照）。このため、車両前側から外枠１４の外枠反射面２４を見ると、外枠１４の内周内側（桟部１６又は外枠１４の内周部）の像が映し出されるようになっている。
【００２３】
次に、本実施形態の作用について説明する。
【００２４】
上記構成のフロントグリル１０では、透明なグリル本体１２の複数の桟部１６の裏側部分には、隣の桟部１６側から入射した光を車両前側へ反射させる桟部反射面２０が設けられている。このため、車両の前側から桟部１６の桟部反射面２０を見ると、これの隣の桟部１６の像が映し出される。したがって、グリル本体１２の車両後側に配置される車両内部部品（例えば、エアーコンディショナー用のコンデンサーやホーンなど）が車両の前側から透けて見えてしまうことを防止又は抑制できる。なお、図３において符号Ｃを付与した範囲が隠蔽範囲である。
【００２５】
しかも、このフロントグリル１０では、桟部反射面２０の一側反射面２０Ａは、両隣の桟部１６のうちの一方の側から入射した光を車両前側へ反射させる。また、桟部反射面２０の他側反射面２０Ｂは、両隣の桟部のうちの他方の側から入射した光を車両前側へ反射させる。このため、車両の前側から桟部１６の桟部反射面２０を見ると、これの両隣の桟部１６の像が映し出される。したがって、斬新な見栄えにすることができる。
【００２６】
さらに、このフロントグリル１０では、透明なグリル本体１２の外枠１４には、外枠１４の内周内側から入射した光を車両前側へ反射させる外枠反射面２４が設けられている。このため、車両の前側から外枠１４の外枠反射面２４を見ると、外枠１４の内周内側の像（桟部１６又は外枠１４の内周部の像）が映し出される。したがって、車両の前側から外枠１４の後側が透けて見えてしまうことを防止又は抑制できる。
【００２７】
なお、上記実施形態では、複数の桟部１６が車幅方向（横方向）に並んで配置された構成にしたが、本発明はこれに限らず、複数の桟部１６が並ぶ方向は、縦、横、斜めの何れの方向であってもよい。また、縦・横に並ぶ複数の桟部が複合（交差）されて格子状に形成される構成にしてもよい。さらに、傾斜方向が同じで同一方向に並ぶ複数の桟部と、これらの桟部とは異なる方向に傾斜して同一方向に並ぶ複数の桟部とが複合（交差）されて格子状（メッシュ状）に形成されていてもよい。
【００２８】
また、上記実施形態では、桟部１６が直線状に形成された構成としたが、桟部１６の形状はこれに限らず、例えば図５に示される第１変形例のように桟部１６の上下方向中間部に曲部が形成される構成にしてもよいし、図６、７に示される第２変形例、第３変形例のように桟部１６がテーパー状に形成される構成にしてもよい。
【００２９】
さらに、上記実施形態では、桟部１６の裏側部分に断面略正三角形状の溝１８が１つだけ形成された構成としたが、本発明はこれに限らず、溝１８の形状や数は適宜変更することができる（外枠１４の溝２２についても同様である）。例えば、図８に示される第４変形例のように桟部１６の裏側部分に断面略正三角形状の溝１８が幅方向に並んで複数形成された構成にしてもよい。また例えば、図９に示される第５変形例のように、桟部１６の裏側部分に断面半円形状の溝２６が形成された構成にしてもよい。
【００３０】
さらに例えば、溝１８の形状が桟部１６の長手方向に沿って徐々に変化する構成にしてもよい。すなわち、例えば図１０に示される第６変形例では、上端側の８−８線断面における溝１８の形状は、図８に示される形状に形成されているが、下端側の１１−１１線断面における溝１８の形状は、図１１に示される形状に形成されている。なお、溝１８の形状が桟部１６の上端側で図１１に示される形状に形成され、桟部１６の下端側で図８に示される形状に形成された構成にしてもよい。このように溝１８の形状を徐々に変化させることで、斬新な見栄えにすることができる。
【００３１】
またさらに、上記実施形態では、桟部１６の裏側部分に溝１８が形成されることで、桟部１６に桟部反射面２０が設けられる構成としたが、本発明はこれに限らず、例えば図１２に示される第７変形例のように、桟部１６の裏側部分が傾斜して形成されることで、桟部１６に桟部反射面２０が設けられる構成にしてもよい（外枠１４についても同様である）。
【００３２】
また、上記実施形態では、桟部１６の表側（前端側）が断面略三角形状に形成された構成としたが、桟部１６の表側の形状はこれに限らず、適宜変更することができるものであり、例えば、断面半円形状、断面多角形状、断面矩形状（図１２参照）などに形成してもよい。
【図面の簡単な説明】
【００３３】
【図１】本発明の実施形態に係るフロントグリルの部分的な構成を示す正面図である。
【図２】図１の２−２線断面図である。
【図３】本発明の実施形態に係るフロントグリルの桟部に設けられた桟部反射面で光が反射される様子を説明するための断面図である。
【図４】図１の４−４線断面図である。
【図５】本発明の実施形態に係るフロントグリルの桟部の第１変形例を示す正面図である。
【図６】本発明の実施形態に係るフロントグリルの桟部の第２変形例を示す正面図である。
【図７】本発明の実施形態に係るフロントグリルの桟部の第３変形例を示す正面図である。
【図８】本発明の実施形態に係るフロントグリルの桟部の第４変形例を示す断面図である。
【図９】本発明の実施形態に係るフロントグリルの桟部の第５変形例を示す断面図である。
【図１０】本発明の実施形態に係るフロントグリルの桟部の第６変形例を示す正面図である。
【図１１】図１０の１１−１１線断面図である。
【図１２】本発明の実施形態に係るフロントグリルの桟部の第７変形例を示す正面図である。
【符号の説明】
【００３４】
１０      フロントグリル
１２      グリル本体
１４      外枠
１６      桟部
２０      桟部反射面
２０Ａ    一側反射面
２０Ｂ    他側反射面
２４      外枠反射面
【図１】
2008195236.tif 000003
【図２】
2008195236.tif 000004
【図３】
2008195236.tif 000005
【図４】
2008195236.tif 000006
【図５】
2008195236.tif 000007
【図６】
2008195236.tif 000008
【図７】
2008195236.tif 000009
【図８】
2008195236.tif 000010
【図９】
2008195236.tif 000011
【図１０】
2008195236.tif 000012
【図１１】
2008195236.tif 000013
【図１２】
2008195236.tif 000014